【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
表示素子と接眼光学系を含む装着型映像表示装置であって、
前記接眼光学系は、
前記表示素子からの映像光を導光する導光プリズムと、
前記導光プリズムにより導光された前記映像光を射出する射出部と、
を含み、
前記導光プリズムは、
前記映像光の光路を取り囲むように配置された複数の側面と、
前記映像光を前記射出部へ反射する反射面と、
を含み、
前記射出部は、正の屈折力を有する射出面を含み、前記射出面は、前記反射面で反射された前記映像光を射出し、
前記複数の側面は、前記反射面で反射される前の前記映像光の第１光軸と前記反射面で反射された後の前記映像光の第２光軸とを含む第１平面の対向側に配置され且つ前記射出部と前記反射面との間に挟まれた第１側面を含み、
前記第１側面の、前記第１光軸を含み前記第１平面に垂直な平面との交線の一部又は全部は、前記光路の下流側に向かって、前記第１光軸に対して負の傾斜角を有すると共に、前記第１側面の、前記第２光軸を含み前記第１平面に垂直な平面との交線の一部又は全部は、前記光路の下流側に向かって、前記第２光軸に対して正の傾斜角を有する。
【請求項２】
請求項１記載の装着型映像表示装置であって、
前記射出面の、前記第１平面に対して垂直方向の開口寸法をＤとし、前記導光プリズムの屈折率をｎとしたときに、前記負の傾斜角の絶対値は、Ｄ／（４８ｎ）ラジアンより大きい。
【請求項３】
請求項１又は２記載の装着型映像表示装置であって、
前記第１光軸と前記第２光軸との交点から前記第１側面までの、前記第１平面に対して垂直方向の距離をｄとし、前記交点から見た前記表示素子の表示面の虚像位置をＬとしたときに、前記正の傾斜角の絶対値は、ｄ／Ｌラジアンより大きい。
【請求項４】
請求項１又は２記載の装着型映像表示装置であって、
前記射出部は、前記第１平面の対向側に配置された側面を更に含み、
前記射出部の側面は、使用者の眼球側に向かって、前記第２光軸に対して負の傾斜角を有し、
前記第１光軸と前記第２光軸との交点から前記第１側面までの、前記第１平面に対して垂直方向の距離をｄとし、前記交点から見た前記表示素子の表示面の虚像位置をＬとしたときに、前記正の傾斜角の絶対値は、ｄ／（２Ｌ）ラジアンより大きい。
【請求項５】
請求項１乃至４の何れか一項記載の装着型映像表示装置であって、
前記複数の側面は、前記第１側面よりも前記光路の上流側であって前記第１平面の対向側に配置された第２側面を更に含み、
前記第２側面の、前記第１光軸を含み前記第１平面に垂直な平面との交線の一部又は全部は、前記光路の下流側に向かって、前記第１光軸に対して負の傾斜角を有する。
【請求項６】
請求項５記載の装着型映像表示装置であって、
前記第１光軸に対して垂直な第２平面と前記第２側面との第１交線は、前記第２光軸の、前記反射面から使用者の眼球側へ向かう方向に向かって、前記第１平面と前記第２平面との第２交線に対してゼロ又は負の傾斜角を有する。
【請求項７】
請求項５又は６記載の装着型映像表示装置であって、
前記射出面の、前記第１平面に対して垂直方向の開口寸法をＤとし、前記導光プリズムの屈折率をｎとしたときに、前記第２側面の、前記第１光軸を含み前記第１平面に垂直な平面との交線の一部又は全部が前記光路の下流側に向かって有する負の傾斜角の絶対値は、Ｄ／（４８ｎ）ラジアンより大きい。
【請求項８】
請求項１記載の装着型映像表示装置であって、
前記接眼光学系を保持する筐体を更に含み、
前記複数の側面は、前記第１側面よりも前記光路の上流側であって、前記第１平面に対して垂直な、前記第１光軸を含む第２平面の一方及び他方の対向側に配置された第２側面及び第３側面を更に含み、
前記第２側面及び前記第３側面の全て又は一部は、研磨され、前記筐体から露出されている。
【請求項９】
請求項１記載の装着型映像表示装置であって、 
前記接眼光学系を保持する筐体を更に含み、
前記複数の側面は、前記第１側面よりも前記光路の上流側に配置された４つの側面を更に含み、
前記４つの側面は、前記第１平面の一方及び他方の対向側に配置され且つ前記第１平面に対して略平行な第２側面及び第３側面と、前記第１平面に対して垂直な、前記第１光軸を含む第２平面の一方及び他方の対向側に配置され且つ前記第２平面に対して略平行な第４側面及び第５側面であり、
前記筐体は、前記第２側面、前記第３側面、前記第４側面、及び前記第５側面の全て又は一部を用いて前記接眼光学系を保持する。
【請求項１０】
請求項９記載の装着型映像表示装置であって、
前記複数の側面は、前記第１側面よりも前記光路の上流側であって、且つ、前記第２側面、前記第３側面、前記第４側面、及び前記第５側面よりも前記光路の下流側に配置された２つの側面を更に含み、
前記２つの側面は、前記第１平面の一方及び他方の対向側に配置された第６側面及び第７側面であり、
前記第２側面と前記第３側面との間の距離は、前記第６側面と前記第７側面との間の距離よりも短く、
前記第２側面及び前記第３側面に遮光溝が設けられる、又は、前記第２側面及び前記第３側面が粗面である。
【請求項１１】
接眼光学系であって、
表示素子からの映像光を導光する導光プリズムと、
前記導光プリズムにより導光された前記映像光を射出する射出部と、
を含み、
前記導光プリズムは、
前記映像光の光路を取り囲むように配置された複数の側面と、
前記映像光を前記射出部へ反射する反射面と、
を含み、
前記射出部は、正の屈折力を有する射出面を含み、前記射出面は、前記反射面で反射された前記映像光を射出し、
前記複数の側面は、前記反射面で反射される前の前記映像光の第１光軸と前記反射面で反射された後の前記映像光の第２光軸とを含む第１平面の対向側に配置され且つ前記射出部と前記反射面との間に挟まれた第１側面を含み、
前記第１側面の、前記第１光軸を含み前記第１平面に垂直な平面との交線の一部又は全部は、前記光路の下流側に向かって、前記第１光軸に対して負の傾斜角を有すると共に、前記第１側面の、前記第２光軸を含み前記第１平面に垂直な平面との交線の一部又は全部は、前記光路の下流側に向かって、前記第２光軸に対して正の傾斜角を有する。 
【手続補正２】
【補正対象書類名】明細書
【補正対象項目名】０００９
【補正方法】変更
【補正の内容】
【０００９】
導光プリズム３の断面３ｆは、光軸５ａ及び５ｂを含む平面に対して垂直な、光軸５ａを含む平面との断面である。導光プリズム３の断面３ｇは、射出部４よりも表示素子２側の、光軸５ａに垂直な平面との断面である。導光プリズム３の断面３ｈと射出部４の断面４ｂは、光軸５ａ及び５ｂを含む平面に対して垂直な、光軸５ｂを含む平面との断面である。なお、断面３ｆ、３ｇ、及び３ｈの各々は、長方形又は正方形の形状を有する。また、断面３ｆ、３ｇ、３ｈ、及び４ｂは、接眼光学系１の断面でもある。
【手続補正３】
【補正対象書類名】明細書
【補正対象項目名】００３６
【補正方法】変更
【補正の内容】
【００３６】
このような構成の接眼光学系１４によれば、例えば図１６に示したように、表示素子１５の表示領域中心から射出して接眼光学系１４の断面１６ｆ、１６ｈ、及び１７ｂの各断面上を通る光線に注目したときに、反射面１６ｅで反射する前に側面１６ａ（又は側面１６ｂ）で反射した光線を、使用者の瞳孔（眼球１９の瞳孔）から逸らすことができる。この理由は、第１の実施形態で述べたとおりである。従って、そのような光線によるゴースト像の発生を抑制することができる。
【手続補正４】
【補正対象書類名】明細書
【補正対象項目名】００４４
【補正方法】変更
【補正の内容】
【００４４】
導光プリズム２３の側面２３ａ及び２３ｂは、光軸２５ａ及び光軸２５ｂを含む平面の対向側に配置され且つ射出部２４と反射面２３ｋとの間に挟まれた面であって、光軸２５ａの正方向に向かって光軸２５ａ対して負の傾斜角を有すると共に、光軸２５ｂの正方向に向かって光軸２５ｂに対して正の傾斜角を有する。このとき、その負の傾斜角の絶対値は、Ｄ／（４８ｎ）ラジアンより大きい値である。また、その正の傾斜角の絶対値は、ｄ／（２Ｌ）ラジアンより大きい値である。ここで、Ｄ及びｎは、第１の実施形態で説明したものと同様である。すなわち、Ｄは、射出部２４の射出面２４ａの、光軸２５ａ及び光軸２５ｂを含む平面に対して垂直方向の開口寸法であり、ｎは、導光プリズム２３の屈折率である。また、ｄとＬは、第２の実施形態で説明したものと同様である。すなわち、ｄは、光軸２５ａと光軸２５ｂとの交点から側面２３ａ又は側面２３ｂまでの、光軸２５ａ及び光軸２５ｂを含む平面に対して垂直方向の距離である。Ｌは、光軸２５ａと光軸２５ｂとの交点から見た表示素子２２の表示面の虚像位置である。より詳しくは、Ｌは、図２１に示したように、表示素子２２の表示面に設けられたカバーガラス２２ａの厚みをＬ１、そのカバーガラス２２ａの屈折率をｎｃ、そのカバーガラス２２ａと導光プリズム２３の入射面（表示素子２２からの映像光の入射面）との間の距離をＬ２、その入射面と、光軸２５ａと光軸２５ｂとの交点との距離をＬ３としたときに、
Ｌ＝（ｎ／ｎｃ）×Ｌ１＋ｎ×Ｌ２＋Ｌ３、
により求められる。なお、この算出式は、後述の第４の実施形態において説明されるＬの算出式に基づくものである。
【手続補正５】
【補正対象書類名】明細書
【補正対象項目名】００５０
【補正方法】変更
【補正の内容】
【００５０】
導光プリズム２３の断面２３ｌは、光軸２５ａ及び２５ｂを含む平面に対して垂直な、光軸２５ａを含む平面との断面である。導光プリズム２３の断面２３ｍは、側面２３ａよりも表示素子２２側であって且つ側面２３ｇよりも射出部２４側の、光軸２５ａに垂直な平面との断面である。導光プリズム２３の断面２３ｎと射出部２４の断面２４ｄは、光軸２５ａ及び２５ｂを含む平面に対して垂直な、光軸２５ｂを含む平面との断面である。なお、導光プリズム２３の断面２３ｍは、長方形又は正方形の形状を有し、導光プリズム２３の断面２３ｎは、台形の形状を有する。また、断面２３ｌ、２３ｍ、２３ｎ、及び２４ｄは、接眼光学系２１の断面でもある。
【手続補正６】
【補正対象書類名】明細書
【補正対象項目名】００７４
【補正方法】変更
【補正の内容】
【００７４】
導光プリズム３３の部分３３ａにおける、第２の実施形態に係る導光プリズム１６の側面１６ａ及び１６ｂの各々に対応する曲面は、光軸３６ａ及び光軸３６ｂを含む平面の対向側に配置され且つ射出部３４と反射面３３ｇとの間に挟まれた面である。その曲面と、光軸３６ａ及び光軸３６ｂを含む平面に垂直な、光軸３６ａを含む平面との交線は、光軸３６ａの正方向に向かって光軸３６ａ対して負の傾斜角を有する。また、その曲面と、光軸３６ａ及び光軸３６ｂを含む平面に垂直な、光軸３６ｂを含む平面との交線は、光軸３６ｂの正方向に向かって光軸３６ｂ対して正の傾斜角を有する。
【手続補正７】
【補正対象書類名】図面
【補正対象項目名】図２１
【補正方法】変更
【補正の内容】
【図２１】
2017111324.tif 000001